(57)【要約】【課題】着用時における吸収性コアの保形性に優れ、排泄物の吸収性能及び着用感が良好且つ安定している吸収性物品を提供すること。【解決手段】本発明の吸収性物品１は、液保持性の吸収性コア４０と、吸収性コア４０の肌対向面を被覆する肌側コアラップシート４１とを具備する。吸収性コア４０の肌対向面に接着剤９が付着し、その接着剤付着面に接着剤９を介して肌側コアラップシート４１が接合されている。吸収性コア４０の前記接着剤付着面における接着剤９の付着面積率に関し、吸収性コア４０の横方向Ｙの両端それぞれに位置するコア横方向端部４０Ｓが、それらコア横方向両端部４０Ｓ，４０Ｓに挟まれたコア横方向中央部４０Ｍに比して大となる、大小関係が成立している。【選択図】図３
2018086117.tif 000002
【特許請求の範囲】
【請求項１】
着用者の腹側から股間部を介して背側に延びる縦方向とこれに直交する横方向とを有し、液保持性の吸収性コアと、該吸収性コアを被覆するコアラップシートとを具備する吸収性物品であって、
前記吸収性コアの肌対向面及び非肌対向面の少なくとも一方に接着剤が付着し、その接着剤付着面に該接着剤を介して前記コアラップシートが接合されており、
前記吸収性コアの前記接着剤付着面における前記接着剤の付着面積率に関し、該吸収性コアの横方向両端それぞれに位置するコア横方向端部における前記接着剤の付着面積率が、それらコア横方向両端部に挟まれたコア横方向中央部における前記接着剤の付着面積率に比して大となる、大小関係が成立している吸収性物品。
【請求項２】
前記大小関係が前記吸収性コアの肌対向面及び非肌対向面の両面で成立している請求項１に記載の吸収性物品。
【請求項３】
前記コア横方向端部における前記接着剤の付着面積率が、前記コア横方向中央部における前記接着剤の付着面積率の２倍以上である請求項１又は２に記載の吸収性物品。
【請求項４】
前記コア横方向端部において前記接着剤の付着面積率が均一である請求項１〜３の何れか１項に記載の吸収性物品。
【請求項５】
前記吸収性物品において腹側の縦方向端から該吸収性物品の縦方向の全長の２／３に相当する距離だけ離間した位置にわたる領域を前側領域、該吸収性物品の残りの領域を後側領域とした場合、前記大小関係が少なくとも該前側領域で成立している請求項１〜４の何れか１項に記載の吸収性物品。
【請求項６】
前記接着剤の付着面積率が、前記前側領域の前記コア横方向両端部、前記後側領域の前記コア横方向両端部、前記コア横方向中央部の順で大きい請求項５に記載の吸収性物品。
【発明の詳細な説明】
【技術分野】
【０００１】
本発明は、吸収性コア及びこれを被覆するシートを備えた吸収性物品に関する。
【背景技術】
【０００２】
使い捨ておむつなどの吸収性物品として、肌対向面を形成する液透過性の表面シート、非肌対向面を形成する液不透過性の裏面シート及びこれら両シート間に配置された吸収体を具備し、該吸収体が、木材パルプや吸水性ポリマー等の吸収性材料を含む吸収性コアと、該吸収性コアの外面を被覆するコアラップシートとからなるものが知られている。コアラップシートは、吸収体の製造時には吸収性材料を受けるためのシートとして働き、製造後には吸収性コアを包んで形状化する役割等を果たす。コアラップシートとしては、従来、薄葉紙、吸収紙、不織布等の透水性シートが用いられている。吸収性コアとコアラップシートとは通常、接着剤を介して互いに接合されている。
【０００３】
従来、吸収性物品の着用時に吸収性コアの形状が崩れるという問題がある。吸収性コアの形状が崩れた状態で吸収性物品を着用していると、吸収性物品における着用者の股間部に対応する部位が不規則に変形して着用者の歩行を妨げるおそれがあり、また、尿などの排泄物漏れや着用感の低下を招くおそれもある。このような吸収性コアの形状崩れを抑制し得る技術として、吸収性コアに貫通孔を形成し、該吸収性コアの肌対向面側及び非肌対向面側それぞれのコアラップシートどうしを該貫通孔にて互いに接合する技術が知られているが、斯かる技術は貫通孔の形成に伴う吸収性材料の減少に起因して、吸収性コアの吸収容量の低下を招くという問題がある。また、吸収性コアの形状崩れを抑制し得る別の技術として、吸収性コアにエンボス加工を施す技術が知られているが、斯かる技術は吸収性コアの硬化を招き、着用感の低下などの新たな問題を引き起こすおそれがある。
【０００４】
特許文献１には、吸収性コアの形状崩れを効果的に抑制し得る吸収性物品として、吸収性コアの肌対向面及び非肌対向面それぞれに、コアラップシート接合用の接着剤が、縦方向（着用者の前後方向に対応する方向）に延びる線状の接着剤付着部が横方向（該縦方向に直交する方向）に間欠配置されてストライプ状のパターンを形成するように付着し、且つ各接着剤付着部を横方向に二分して縦方向に延びる中心線が、吸収性コアの肌対向面と非肌対向面とで重なっていないと共に、吸収性コアの肌対向面の方が非肌対向面よりも接着剤付着部の数が少なくなされている吸収性物品が記載されている。
【０００５】
また特許文献２には、コアラップシート接合用の接着剤の塗工面積率に関して、吸収性コアの肌対向面を非肌対向面よりも低くすることが記載されている。特許文献２によれば、斯かる構成により、吸収性コアが排泄物を吸収した際の膨潤の程度が、非肌対向面側よりも肌対向面側の方が大きくなるため、着用者の肌と表面シートとの間に隙間ができて通気性が向上し得るとされている。特許文献１及び２において、コアラップシート接合用の接着剤の付着部の数あるいは塗工面積率が互いに異なる関係にあるのは、吸収性コアの肌対向面と非肌対向面との間であり、吸収性コアの肌対向面あるいは非肌対向面それぞれにおいては、これらは均一である。
【０００６】
特許文献３には、股下部に括れ部を有する吸収性コアと該吸収性コアを被覆するコアラップシートとを具備する吸収性物品において、この括れ部の形成位置にコアラップシートで画成された空間部が形成され、該空間部を画成する吸収性コア及びコアラップシートにコアラップシート接合用の接着剤が塗布されていないものが記載されている。特許文献３記載の吸収性物品によれば、前記空間部が、吸収性コアが排泄物を吸収して膨潤する際の膨らみ代として機能するため、液吸収による吸収性コアの膨潤がコアラップシートによって阻害される不都合が回避され、防漏性が向上し得るとされている。
【先行技術文献】
【特許文献】
【０００７】
【特許文献１】特開２０１４−１００３０７号公報
【特許文献２】特開２０１３−２５５５６０号公報
【特許文献３】特開２０１３−９９４５１号公報
【発明の概要】
【発明が解決しようとする課題】
【０００８】
吸収性物品の着用時における吸収性コアの形状崩れは、吸収性コアの横方向中央部よりも横方向両端部の方が起こりやすい。その理由は、吸収性コアの横方向両端部は、吸収性物品の着用時において着用者の大腿部などによって圧力を特に受けやすい部位であるため、そのような体圧に起因する負荷による歪が大きく、さらに、着用者の肌との摩擦によって生じる応力がかかりやすいためである。また、吸収性コアにおいては通常、股下部における横方向中央部で排泄物が直接吸収され、その吸収された排泄物が面方向に拡散していくので、吸収性コアの横方向中央部と両端部との間には、排泄物の吸収量の違いに起因する剛性差が生じ、両部位の境界及びその近傍は剛性変化部位（吸収性コアＤｒｙ−Ｗｅｔ界面）となるところ、このような剛性変化の発生も、吸収性コアの横方向両端部が形状崩れを特に起こしやすい原因の１つとなっている。吸収性コアの横方向両端部の形状崩れを効果的に防止し得る技術は未だ提供されていない。
【０００９】
従って本発明の課題は、着用時における吸収性コアの保形性に優れ、排泄物の吸収性能及び着用感が良好且つ安定している吸収性物品を提供することに関する。
【課題を解決するための手段】
【００１０】
本発明は、着用者の腹側から股間部を介して背側に延びる縦方向とこれに直交する横方向とを有し、液保持性の吸収性コアと、該吸収性コアを被覆するコアラップシートとを具備する吸収性物品であって、前記吸収性コアの肌対向面及び非肌対向面の少なくとも一方に接着剤が付着し、その接着剤付着面に該接着剤を介して前記コアラップシートが接合されており、前記吸収性コアの前記接着剤付着面における前記接着剤の付着面積率に関し、該吸収性コアの横方向両端それぞれに位置するコア横方向端部における前記接着剤の付着面積率が、それらコア横方向両端部に挟まれたコア横方向中央部における前記接着剤の付着面積率に比して大となる、大小関係が成立している吸収性物品である。
【発明の効果】
【００１１】
本発明によれば、着用時における吸収性コアの保形性に優れ、吸収性コアの形状崩れが起こり難く、排泄物の吸収性能及び着用感が良好且つ安定している吸収性物品が提供される。
【図面の簡単な説明】
【００１２】
【図１】図１は、本発明の吸収性物品の一実施形態である展開型使い捨ておむつの肌対向面即ち表面シート側を模式的に示す平面図であり、各部の弾性部材を伸張させて平面状に拡げた展開状態における平面図である。
【図２】図２は、図１のＩ−Ｉ線断面を模式的に示す横断面図である。
【図３】図３は、図１に示すおむつにおけるコアラップシート接合用接着剤の付着部の説明図であり、展開且つ伸張状態のおむつ１の肌対向面側（表面シート２側）の要部を模式的に示す平面図である。
【発明を実施するための形態】
【００１３】
以下、本発明の吸収性物品を、その好ましい一実施形態である展開型使い捨ておむつの一例に基づき図面を参照して説明する。図１及び図２には、本実施形態の展開型使い捨ておむつ１が示されている。おむつ１は、着用者の腹側から股間部を介して背側に延びる縦方向Ｘとこれに直交する横方向Ｙとを有すると共に、着用者の腹側に配される腹側部Ａ及び背側に配される背側部Ｃ並びにそれらの間に位置する股下部Ｂとを有する。腹側部Ａ、股下部Ｂ及び背側部Ｃは、おむつ１を縦方向Ｘに三等分した場合の各領域に相当する。股下部Ｂは、おむつ１の着用時に着用者のペニス、肛門等の排泄部に対向配置される排泄部対向部を有しており、該排泄部対向部は通常、おむつ１の縦方向Ｘの中央部又はその近傍に位置している。
【００１４】
おむつ１は、図１及び図２に示すように、吸収性コア４０を有する吸収体４と、吸収体４の肌対向面側に配され、吸収体４よりも着用者の肌に近くに位置して着用時に着用者の肌と接触し得る液透過性の表面シート２と、吸収体４の非肌対向面側に配され、吸収体４よりも着用者の肌から遠くに位置する液不透過性ないし撥水性の裏面シート３とを具備し、図１に示す如き平面視において、股下部Ｂに位置する縦方向Ｘの中央部が内方に括れ且つ一方向即ち縦方向Ｘに長い、縦長の砂時計状をなしている。表面シート２及び裏面シート３は、それぞれ、両シート２，３間に介在配置された吸収体４よりも大きな寸法を有し、図１に示す如き展開且つ伸張状態のおむつ１の外形を形成している。
【００１５】
尚、本明細書において、「肌対向面」は、吸収性物品又はその構成部材（例えば吸収性コア４０）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側（着衣側）に向けられる面、即ち相対的に着用者の肌から遠い側である。尚、ここでいう「着用時」は、通常の適正な着用位置が維持された状態を意味し、吸収性物品が適正な着用位置からずれた状態にある場合は含まない。
【００１６】
おむつ１においては、図１及び図２に示すように、表面シート２と吸収体４（肌側コアラップシート４１）との間に、本技術分野においてセカンドシートなどとも呼ばれる、液透過性のサブレイヤー５が配されている。サブレイヤー５は、表面シート２と共に、「吸収体４よりも着用者の肌に近い位置に配された表面層」を構成し、該表面層は、吸収体４に近い順にサブレイヤー５と表面シート２とを含む。サブレイヤー５は吸収体４の肌対向面の略全域を被覆している。
【００１７】
サブレイヤー５は、表面シート２から吸収体４への液の透過性の向上、吸収体４に吸収された液の表面シート２への液戻りの低減などの役割を担う他、吸収性コア４０の形状崩れの抑制にも寄与し得る。サブレイヤー５の存在によって吸収体４全体の剛性が向上するためである。このようなサブレイヤー５による作用効果をより確実に奏させるようにする観点から、サブレイヤー５の坪量は、好ましくは１５ｇ／ｍ2、さらに好ましくは２０ｇ／ｍ2以上、そして、好ましくは６０ｇ／ｍ2以下、さらに好ましくは５０ｇ／ｍ2以下である。サブレイヤー５としては、親水性且つ液透過性のシートであれば良く、例えば紙、織布、不織布を例示できるが、強度が比較的強く柔軟性にも優れる点で、不織布が特に好ましい。サブレイヤー５を形成する不織布としては、エアスルー不織布、ポイントボンド不織布、レジンボンド不織布、スパンレース不織布、エアレイド不織布等を例示できる。
【００１８】
腹側部Ａ及び背側部Ｃそれぞれのウエスト部、即ち縦方向Ｘの端部における表面シート２と裏面シート３との間には、糸状の弾性部材１１が横方向Ｙに沿って伸長状態で固定されており、これにより、おむつ１の着用時における該ウエスト部には、弾性部材１１の収縮によりウエストギャザーが形成される。また、おむつ１の表面シート２側における縦方向Ｘに沿う左右両側には、それぞれサイドシート６が配されている。サイドシート６は、縦方向Ｘに沿う内側縁部と、該内側縁部よりも横方向Ｙの外方に位置して縦方向Ｘに沿う外側縁部とを有し、図１に示す如き平面視において、該内側縁部は吸収体４と重なり、該外側縁部は吸収体４の縦方向Ｘに沿う側縁から横方向Ｙの外方に延出し裏面シート３と接合されている。着用者の脚周りに配される左右のレッグ部におけるサイドシート６と裏面シート３との間には、糸状の弾性部材１２が縦方向Ｘに沿って伸長状態で固定されており、これにより、おむつ１の着用時におけるレッグ部には、弾性部材１２の収縮により一対のレッグギャザーが形成される。また、サイドシート６の内側縁部には、糸状の弾性部材１３が縦方向Ｘに沿って伸長状態で固定されており、これにより、おむつ１の着用時には弾性部材１３の収縮により少なくとも股下部Ｂにおいてサイドシート６が他の部材との接合部を起点として着用者の肌側に向かって起立し、防漏カフが形成される。表面シート２、裏面シート３、吸収体４、サイドシート６及び各弾性部材１１〜１３は、ホットメルト型接着剤等の公知の接合手段により互いに接合されている。
【００１９】
図１に示すように、おむつ１の背側部Ｃの縦方向Ｘに沿う両側縁部には、一対のファスニングテープ７，７が設けられている。ファスニングテープ７には、機械的面ファスナーのオス部材からなる止着部７１が取り付けられている。また、おむつ１の腹側部Ａの非肌対向面には、機械的面ファスナーのメス部材からなる被止着領域８が形成されている。被止着領域８は、腹側部Ａの非肌対向面を形成する裏面シート３の非肌対向面に、機械的面ファスナーのメス部材を公知の接合手段、例えば接着剤やヒートシール等で接合固定して形成されており、ファスニングテープ７の止着部７１を着脱自在に止着可能になされている。
【００２０】
表面シート２としては、使い捨ておむつ等の吸収性物品に従来使用されている各種のものを特に制限なく用いることができ、尿や便などの体液を透過し得る液透過性シートであることを前提として、合成繊維又は天然繊維からなる織布や不織布、多孔性シート等を用いることができる。表面シート２の一例として、コットン等の天然繊維を材料とする不織布や、各種合成繊維に親水化処理を施したものを材料とする不織布を用いることができる。例えば、芯成分にポリプロピレンやポリエステル、鞘成分にポリエチレンを用いた、芯鞘構造型（サイドバイサイド型も含む）複合繊維をカーディングによりウエブ化した後、エアスルー法によって不織布（この後所定箇所に開孔処理を施しても良い）としたものが挙げられる。また、透液性の高さの点（ドライ感）から、低密度ポリエチレン等のポリオレフィンからなる開孔シートも好ましく用いることができる。
裏面シート３としては、使い捨ておむつ等の吸収性物品に従来使用されている各種のものを特に制限なく用いることができ、液不透過性（撥水性を含む）で、且つ透湿性のものが好ましく用いられる。具体的に十分な水蒸気透過性を得るために、炭酸カルシウム等のフィラーからなる微粉を分散させたポリエチレン等の合成樹脂製のフィルムを延伸し、微細な孔を設けた多孔質フィルムは、裏面シート３として好適に使用できる。
サイドシート６としては、裏面シート３として使用可能なものを用いることができる。
【００２１】
吸収体４は、液保持性の吸収性コア４０と、吸収性コア４０の肌対向面を被覆する肌側コアラップシート４１と、吸収性コア４０の非肌対向面を被覆する非肌側コアラップシート４２とを含んで構成されている。吸収体４（吸収性コア４０）は、図１に示す如き平面視において、股下部Ｂに位置する縦方向Ｘの中央部が内方に括れた砂時計状で且つ縦方向Ｘに長い縦長の形状を有している。
【００２２】
吸収性コア４０は吸収性材料を主体として構成され、吸収性コア４０における吸収性材料の含有量は通常ほぼ１００質量％である。吸収性材料としては、使い捨ておむつ等の吸収性物品に従来使用されている各種のものを特に制限なく用いることができ、例えば、木材パルプ、親水化剤により処理された合繊繊維等の親水性繊維や吸水性ポリマー粒子が挙げられる。吸収性コア４０の構成として、親水性繊維の積繊体、あるいは該積繊体に吸水性ポリマー粒子を担持させた構成、あるいは吸水性ポリマー粒子のみからなる構成を例示できる。
【００２３】
本実施形態においては、図２に示すように、肌側コアラップシート４１と非肌側コアラップシート４２とで１枚の連続したコアラップシートを構成している。より具体的には、本実施形態においては、吸収性コア４０の横方向Ｙの長さの２倍以上３倍以下の幅を有する１枚の連続したコアラップシートが採用されており、この１枚のコアラップシートは、図２に示すように、吸収性コア４０の肌対向面の全域を被覆し、且つ吸収性コア４０の縦方向Ｘに沿う両側縁から横方向Ｙの外方に延出し、その延出部が、吸収性コア４０の下方に巻き下げられて、吸収性コア４０の非肌対向面の全域を被覆している。そして、この１枚のコアラップシートにおいて、吸収性コア４０の肌対向面を被覆する部分が肌側コアラップシート４１、吸収性コア４０の非肌対向面を被覆する部分が非肌側コアラップシート４２である。本実施形態においては、肌側コアラップシート４１と非肌側コアラップシート４２とはシートとして同一である。コアラップシート４１，４２の坪量は、好ましくは５ｇ／ｍ２以上、さらに好ましくは１０ｇ／ｍ２以上、そして、好ましくは４０ｇ／ｍ２以下、さらに好ましくは３０ｇ／ｍ２以下である。
【００２４】
本実施形態においては、図２に示すように、吸収性コア４０の肌対向面及び非肌対向面の両面に接着剤９が付着しており、それら接着剤付着面の１つである吸収性コア４０の肌対向面に接着剤９を介して肌側コアラップシート４１が接合され、また、それら接着剤付着面の他の１つである吸収性コア４０の非肌対向面に接着剤９を介して非肌側コアラップシート４２が接合されている。吸収性コア４０の肌対向面及び非肌対向面それぞれにおいて、接着剤９は当該面の全域に隙間なく付着してはおらず（いわゆるベタ塗りされてはおらず）、接着剤９の付着部と非付着部とが混在するパターンで間欠的に付着している。接着剤９の平面視形状（接着剤９の塗工パターン）は特に制限されず、例えば、縦方向Ｘに延びる直線状又はスパイラル状、縦方向Ｘに長いΩ（オメガ）字状などを例示できる。接着剤９としては、ホットメルト型接着剤など、この種の吸収性物品において部材どうしの接合に通常用いられているものを特に制限なく用いることができる。
【００２５】
図３には、接着剤９の付着部を説明するための図として、展開且つ伸張状態のおむつ１の肌対向面側（表面シート２側）の要部が示されている。おむつ１の主たる特徴の１つとして、吸収性コア４０における接着剤９の付着面、具体的には、吸収性コア４０の肌対向面及び非肌対向面の少なくとも一方における接着剤９の付着面積率に関し、吸収性コア４０の横方向Ｙの両端それぞれに位置するコア横方向端部４０Ｓが、それらコア横方向両端部４０Ｓ，４０Ｓに挟まれたコア横方向中央部４０Ｍに比して大となる（コア横方向端部４０Ｓの接着剤９の付着面積率＞コア横方向中央部４０Ｍの接着剤９の付着面積率）、大小関係が成立している点が挙げられる。接着剤の付着面積率は下記方法によって測定される。
【００２６】
＜接着剤の付着面積率の測定方法＞
測定対象（コアラップシート）の接着剤付着面に黒色などの有色のトナー（ブラザー工業株式会社製、商品名「レーザープリンター用 詰め替えトナー粉ボトル ５６０９７１」）を散布して、該接着剤付着面に付着している接着剤を着色し、その着色した測定対象を所定のサイズにカットして測定サンプルとする。そして、その測定サンプルにおける着色部（接着剤付着部）の総面積を測定する。着色部の総面積の測定は、測定サンプルにおけるトナーの散布面を公知の方法により画像化し、さらにその画像データを２値化し、その２値化データに基づいて行う。こうして求めた着色部の総面積から次式により、接着剤の付着面積率を算出する。１つの測定対象につき、任意の３箇所以上で前記手順により接着剤の付着面積率を求め、それらの平均値を当該測定対象における接着剤の付着面積率とする。
接着剤の付着面積率（％）＝（着色部の総面積／測定サンプルの面積）×１００
【００２７】
尚、吸収性物品からその構成部材（例えばコアラップシート）を取り出して評価測定する場合において、その構成部材が、接着剤、融着などによって他の構成部材に固定されている場合には、その固定部分を、溶剤の塗布、ドライヤーによる熱風吹き付けなどによって除去してから取り出す。
【００２８】
前述した通り、吸収性コア４０の横方向両端に位置するコア横方向両端部４０Ｓ，４０Ｓは、おむつ１の着用時において着用者の大腿部などによって圧力を特に受けやすい部位であるため、吸収性コア４０の形状崩れは、コア横方向中央部４０Ｍよりもコア横方向端部４０Ｓの方が起こりやすい。一方、吸収性コア４０の形状崩れは、これを被覆するコアラップシート４１，４２との接着剤９による接合箇所が多いほど抑制される。そこでおむつ１においては、吸収性コア４０とコアラップシート４１，４２とを接合する、接着剤９の付着面積率に関し、その接着剤９の付着面（吸収性コア４０の肌対向面又は非肌対向面）において、「コア横方向端部４０Ｓの接着剤９の付着面積率＞コア横方向中央部４０Ｍの接着剤９の付着面積率」なる大小関係が成立するようにした。これにより、コア横方向両端部４０Ｓ，４０Ｓの強度や保形性が向上するため、おむつ１の着用時に着用者の脚の動きなどによってコア横方向両端部４０Ｓ，４０Ｓに比較的大きな歪や摩擦がかかってもそれらの形状が維持され、結果として、優れた吸収性能及び着用感が長時間にわたって安定的に発現し得るようになる。
【００２９】
また、吸収性コア４０の形状崩れの防止の観点からは、コア横方向両端部４０Ｓ，４０Ｓのみならず、コア横方向中央部４０Ｍについても、接着剤９の付着面積率を高めることが有効であると考えられるが、コア横方向中央部４０Ｍの接着剤９の付着面積率を高めることは、別の問題を引き起こすおそれがある。即ち、おむつ１の着用時において、吸収体４は着用者の股間部の外形形状に沿うように柔軟に変形することが望ましいところ、コア横方向中央部４０Ｍの接着剤９の付着面積率が高すぎると、吸収体４の柔軟性、可撓性が著しく低下し、着用者の身体形状に沿うように吸収体４が変形することが困難となるため、吸収性能や着用感の低下などの不都合を招くおそれがある。斯かる点を考慮して、おむつ１においては、吸収性コア４０において形状崩れが特に起こりやすい部位であるコア横方向両端部４０Ｓ，４０Ｓに対して選択的に接着剤９の付着面積率を高め、これらに挟まれた領域であるコア横方向中央部４０Ｍの接着剤９の付着面積率は高めないようにしている
【００３０】
コア横方向中央部４０Ｍ及びコア横方向端部４０Ｓは、それぞれ、具体的には次のように定義される。即ち図３を参照して、吸収性コア４０において横方向Ｙの長さ即ち幅が最小の部位であるコア最幅狭部（括れ部）４３の横方向両端４３１，４３１それぞれから横方向Ｙの内方にコア最幅狭部４３の幅（即ち横方向両端４３１，４３１間の長さ）の１０％に相当する距離だけ離間した位置を通って縦方向Ｘに延びる２本の仮想直線ＶＬ，ＶＬを境界として、吸収性コア４０における両仮想直線ＶＬ，ＶＬに挟まれた部位が、コア横方向中央部４０Ｍである。コア横方向中央部４０Ｍは、図３に示す如き平面視において縦方向Ｘに延びる帯状（長方形形状）をなしている。また、吸収性コア４０における両仮想直線ＶＬ，ＶＬよりも横方向Ｙの外方に位置する部位が、コア横方向端部４０Ｓである。
【００３１】
接着剤の付着面積率の向上を図るためには、接着剤の付着対象（吸収性コアの肌対向面若しくは非肌対向面又はコアラップシート）における接着剤付着部の面積を増やす必要がある。接着剤付着部１個当たりの接着剤量を比較的多くしても、接着剤付着部の総面積（数）が比較的少なくては、接着剤の付着面積率は向上しない。前記の接着剤９の付着面積率の大小関係を成立させるための具体的な方法としては、例えば、接着剤９の付着手段（例えば接着剤を吐出するノズル）の数を、コア横方向中央部４０Ｍとコア横方向端部４０Ｓとで異ならせる方法を例示できる。この場合、接着剤９の付着手段の数は、コア横方向中央部４０Ｍに対応するものを相対的に少なく、コア横方向端部４０Ｓに対応するものを相対的に多くすれば良い。接着剤の直接の付着対象は、吸収性コア及びコアラップシートの何れか一方でも良いし、両方でも良い。接着剤９の付着手段としては、公知の手段を特に制限なく用いることができる。
【００３２】
例えば図３を参照して、肌側コアラップシート４１の非肌対向面（吸収性コア４０との対向面）における、２本の仮想直線ＶＬ，ＶＬよりも横方向Ｙの外方に位置する部分の全域に接着剤９を付与しても良い。その場合、肌側コアラップシート４１の非肌対向面における、吸収性コア４０の横方向端（コア最幅狭部４３の横方向端４３１など）から横方向Ｙの外方に延出する延出部４１０、即ち吸収性コア４０との接合に直接寄与しない部分にも接着剤９が付与されるが、特に問題はない。むしろ、肌側コアラップシート４１の延出部４１０に接着剤９が付与されることで、吸収性コア４０の形状崩れがより一層効果的に防止され得る。即ち、コア最幅狭部４３の横方向Ｙの外方に位置する肌側コアラップシート４１の延出部４１０に接着剤９が付与されると、該延出部４１０と、これと対向する非肌側コアラップシート４２の延出部（図示せず）とが、該接着剤９を介して互いに接合されるようになるため、おむつ１の着用時に着用者の脚の動きなどによってコア最幅狭部４３の横方向両端４３１，４３１などに比較的大きな歪や摩擦がかかってもコア最幅狭部４３及びその近傍の形状が維持され、結果として、優れた吸収性能及び着用感が長時間にわたって安定的に発現し得るようになる。
【００３３】
また、おむつ１においては、図３に示すように、吸収性コア４０の縦方向Ｘの中央部（着用者の脚周りに位置する部分）にコア最幅狭部４３が存在している、即ち吸収性コア４０が図３に示す如き平面視において砂時形状をなしており、これによって、着用者の脚の動きなどによってコア最幅狭部４３及びその近傍にかかる歪や摩擦が低減されている。そのため、吸収性コア４０の形状崩れがそもそも起こりにくくなっている。
【００３４】
つまり、吸収性コア４０の形状崩れをより一層効果的に防止するためには、吸収性コア４０の接着剤９の付着面（吸収性コア４０の肌対向面又は非肌対向面）において「コア横方向端部４０Ｓの接着剤９の付着面積率＞コア横方向中央部４０Ｍの接着剤９の付着面積率」なる大小関係が成立することに加えてさらに、吸収性コア４０が、股下部Ｂ（吸収性コア４０の縦方向Ｘの中央部）に横方向Ｙの長さ即ち幅が周辺部よりも短い、括れ部（コア最幅狭部４３）を有し、該括れ部の横方向Ｙの外方位置にて肌側コアラップシート４１と非肌側コアラップシート４２とが接着剤９を介して互いに接合されていることが好ましい。
【００３５】
また前述したように、サブレイヤー５の存在によって吸収体４全体の剛性が向上することが、吸収性コア４０の形状崩れの抑制に繋がり得る。従って、吸収性コア４０の形状崩れをより一層効果的に防止するためには、吸収性コア４０の接着剤９の付着面（吸収性コア４０の肌対向面又は非肌対向面）において「コア横方向端部４０Ｓの接着剤９の付着面積率＞コア横方向中央部４０Ｍの接着剤９の付着面積率」なる大小関係が成立することに加えてさらに、表面シート２と吸収体４（肌側コアラップシート４１）との間に液透過性のサブレイヤー５が配されていることが好ましい。
【００３６】
前述した、吸収性コア４０の接着剤付着面（吸収性コア４０の肌対向面又は非肌対向面）における接着剤９の付着面積率の特定の大小関係の採用による作用効果をより確実に奏させるようにする観点から、吸収性コア４０の肌対向面又は非肌対向面において、コア横方向端部４０Ｓの接着剤９の付着面積率とコア横方向中央部４０Ｍの接着剤９の付着面積率との比率は、前者＞後者を前提として、前者／後者として、好ましくは２以上、さらに好ましくは３以上である。一方、斯かる比率の上限については特に制限はないが、おむつ１の着用時における急激な剛性変化によって前者（コア横方向端部４０Ｓ）と後者（コア横方向中央部４０Ｍ）との境界位置で吸収性コア４０が壊れるリスクを低減する観点から、前者＞後者を前提として、前者／後者として、好ましくは１５以下、さらに好ましくは１０以下である。
【００３７】
吸収性コア４０の接着剤付着面（吸収性コア４０の肌対向面又は非肌対向面）において、コア横方向端部４０Ｓの接着剤９の付着面積率は、好ましくは５％以上、さらに好ましくは１０％以上、そして、好ましくは７５％以下、さらに好ましくは５０％以下であり、また、該接着剤付着面におけるコア横方向中央部４０Ｍの接着剤９の付着面積率は、好ましくは２％以上、さらに好ましくは５％以上、そして、好ましくは３０％以下、さらに好ましくは２０％以下である。コア横方向中央部４０Ｍの接着剤９の付着面積率はゼロ％、即ち、吸収性コア４０の肌対向面又は非肌対向面におけるコア横方向中央部４０Ｍには接着剤９が付着していなくても良い。
【００３８】
吸収性コア４０の接着剤付着面（吸収性コア４０の肌対向面又は非肌対向面）において、コア横方向端部４０Ｓの接着剤９の坪量は、好ましくは３ｇ／ｍ２以上、さらに好ましくは５ｇ／ｍ２以上である。一方、コア横方向端部４０Ｓの接着剤９の坪量の上限については特に制限はないが、おむつ１の着用時における急激な剛性変化によってコア横方向端部４０Ｓとコア横方向中央部４０Ｍとの境界位置で吸収性コア４０が壊れるリスクを低減する観点から、好ましくは３０ｇ／ｍ２以下、さらに好ましくは２０ｇ／ｍ２以下である。
吸収性コア４０の接着剤付着面（吸収性コア４０の肌対向面又は非肌対向面）において、コア横方向中央部４０Ｍの接着剤９の坪量は、吸収性コア４０の形状崩れの防止と吸収性コア４０（吸収体４）の柔軟性及び可撓性とのバランスの観点から、好ましくは０．５ｇ／ｍ２以上、さらに好ましくは１ｇ／ｍ２以上、そして、好ましくは１５ｇ／ｍ２以下、さらに好ましくは１０ｇ／ｍ２以下である。
【００３９】
前記の「コア横方向端部４０Ｓの接着剤９の付着面積率＞コア横方向中央部４０Ｍの接着剤９の付着面積率」なる大小関係は、吸収性コア４０の肌対向面及び非肌対向面の何れか一方で成立していれば良いが、斯かる大小関係の採用による作用効果をより確実に奏させるようにする観点から、少なくとも吸収性コア４０の肌対向面で成立していることが好ましく、吸収性コア４０の肌対向面及び非肌対向面の両面で成立していることがさらに好ましい。吸収性コア４０の肌対向面及び非肌対向面の両面で前記大小関係が成立している場合、該肌対向面と該非肌対向面とで、接着剤９の付着パターン同じでも良く、異なっていても良い。
【００４０】
また同様の観点から、コア横方向端部４０Ｓにおいて接着剤９の付着面積率は均一であることが好ましい。ここでいう「接着剤の付着面積率が均一」とは、コア横方向端部４０Ｓの任意の２箇所において接着剤９の付着パターンが互いに同一であることを意味し、該任意の２箇所はそれぞれ、縦２０ｍｍ、横２０ｍｍの平面視四角形形状である。この条件を満たさない場合は、接着剤の付着面積率は不均一である。尚、吸収性コア４０の接着剤付着面（吸収性コア４０の肌対向面又は非肌対向面）において、コア横方向両端部４０Ｓ，４０Ｓの一方と他方とは通常、接着剤９の付着面積率は同じであるが、異なっていても良い。
【００４１】
また図３を参照して、おむつ１において腹側の縦方向端１ＦＥからおむつ１の縦方向Ｘの全長の２／３に相当する距離だけ離間した位置にわたる領域を前側領域１Ｆ、おむつ１の残りの領域（縦方向Ｘの長さにして、おむつ１の縦方向Ｘの全長の１／３に相当する領域）を後側領域１Ｒとした場合、吸収性コア４０の接着剤付着面（吸収性コア４０の肌対向面又は非肌対向面）における前記の「コア横方向端部４０Ｓの接着剤９の付着面積率＞コア横方向中央部４０Ｍの接着剤９の付着面積率」なる大小関係は、少なくとも前側領域１Ｆで成立していることが好ましい。その理由は、ペニス、肛門等の着用者の排泄部は通常、縦方向Ｘにおいて腹側に偏倚しているため、おむつ１の着用時には後側領域１Ｒ（背側部Ｃ）よりも、前側領域１Ｆ（腹側部Ａ及び股下部Ｂにおける腹側部Ａ寄りの部分）が排泄物によって湿潤状態となりやすく、その分、前側領域１Ｆにおいて吸収性コア４０の形状崩れが起こりやすいためである。また、吸収性コア４０の形状崩れの原因の１つである着用者の脚の動きに関しても、通常、腹側の方が背側よりも脚の可動域が大きいため、脚の動きに起因する吸収性コア４０の形状崩れは、前側領域１Ｆの方が後側領域１Ｒよりも起こりやすい。以上より、接着剤９の付着面積率に関する前記大小関係は、少なくとも前側領域１Ｆで成立していることが好ましい。より好ましい形態は、吸収性コア４０の接着剤付着面（吸収性コア４０の肌対向面又は非肌対向面）において、前側領域１Ｆのみならずその全域において前記大小関係が成立している形態である。
【００４２】
また同様の観点から、図３を参照して、吸収性コア４０の接着剤付着面（吸収性コア４０の肌対向面又は非肌対向面）における接着剤９の付着面積率は、前側領域１Ｆのコア横方向両端部４０ＳＦ，４０ＳＦ、後側領域１Ｒのコア横方向両端部４０ＳＲ，４０ＳＲ、コア横方向中央部４０Ｍの順で大きいこと好ましい。即ち、前側領域１Ｆのコア横方向端部４０ＳＦが最大、前側領域１Ｆであるか後側領域１Ｒであるかを問わずコア横方向中央部４０Ｍが最小であり、後側領域１Ｒのコア横方向端部４０ＳＲが両者の中間であることが好ましい。
【００４３】
吸収性コア４０の肌対向面又は非肌対向面において、前側領域１Ｆのコア横方向端部４０ＳＦの接着剤９の付着面積率とコア横方向中央部４０Ｍの接着剤９の付着面積率との比率は、前者＞後者を前提として、前者／後者として、好ましくは２．５以上、さらに好ましくは３．５以上、そして、好ましくは１５以下、さらに好ましくは１０以下である。
また、吸収性コア４０の肌対向面又は非肌対向面において、後側領域１Ｒのコア横方向端部４０ＳＲの接着剤９の付着面積率とコア横方向中央部４０Ｍの接着剤９の付着面積率との比率は、前者＞後者を前提として、前者／後者として、好ましくは２以上、さらに好ましくは３以上、そして、好ましくは１５以下、さらに好ましくは１０以下である。
【００４４】
以上、本発明をその実施形態に基づいて説明したが、本発明は、前記実施形態に制限されることなく適宜変更が可能である。
例えば、前記実施形態では、肌側コアラップシート４１と非肌側コアラップシート４２とで１枚の連続したシートを構成していたが、両シート４１，４２は互いに別体のシートであっても良い。その場合、肌側コアラップシート４１と非肌側コアラップシート４２とで、横方向Ｙの長さ即ち幅は同じでも良く、異なっていても良い。両シート４１，４２で幅が異なる場合は、どちらが長くても良い。例えば、肌側コアラップシート４１は、吸収性コア４０の肌対向面の最大幅と同じ幅を有する、即ち吸収性コア４０の肌対向面の全域を被覆可能な大きさを有するものとし、非肌側コアラップシート４２は、該シート４１よりも幅広にすることができる。その幅広の非肌側コアラップシート４２は、吸収性コア４０の非肌対向面の全域を被覆し、且つ吸収性コア４０の縦方向Ｘに沿う両側縁から幅方向Ｙの外方に延出し、その延出部が、吸収性コア４０の肌対向面に対向配置された肌側コアラップシート４１上に巻き上げられ、該シート４１の縦方向Ｘに沿う両側縁部を被覆していても良い。
【００４５】
また、吸収性や防漏性等の向上の観点から、おむつ１の肌対向面に、表面シート２及び吸収体４が一体的に圧密化されてなる溝が形成されていても良い。
本発明は、前記実施形態の如き展開型の使い捨ておむつに制限されず、人体から排出される体液（尿、軟便、経血、汗等）の吸収に用いられる物品を広く包含し、パンツ型の使い捨ておむつ、生理用ナプキン、生理用ショーツ等も包含される。
前述した一の実施形態のみが有する部分は、すべて適宜相互に利用できる。
【符号の説明】
【００４６】
１  展開型使い捨ておむつ（吸収性物品）
２  表面シート
３  裏面シート
４  吸収体
４０  吸収性コア
４０Ｍ  コア横方向中央部
４０Ｓ  コア横方向端部
４０ＳＦ  前側領域のコア横方向端部
４０ＳＲ  後側領域のコア横方向端部
４１  肌側コアラップシート
４２  非肌側コアラップシート
４３  コア最幅狭部
５  サブレイヤー
９  コアラップシート接合用接着剤
Ａ  腹側部
Ｂ  股下部
Ｃ  背側部
Ｆ  前側領域
Ｒ  後側領域
Ｘ  縦方向
Ｙ  横方向
【図１】
2018086117.tif 000003
【図２】
2018086117.tif 000004
【図３】
2018086117.tif 000005